(57)【要約】【課題】外部機器の正当性に応じて，電力の供給を制御する電力供給制御装置および電力供給システムを提供する。【解決手段】電力供給システムは，外部機器に電力を供給する電力供給部と，前記電力供給部からの供給電力の増加を検出する電力検出部と，前記電力検出部での検出に対応して，前記外部機器を認証する認証部と，前記認証の結果に基づいて，前記外部機器への電力の供給の可否を決定する決定部と，前記決定に基づいて前記電力供給部からの電力の供給を制限する電力制限部と，を具備する。【選択図】図１
2015039248.tif 000002
【特許請求の範囲】
【請求項１】
外部機器に電力を供給する電力供給部と，
前記電力供給部からの供給電力の増加を検出する電力検出部と，
前記電力検出部での検出に対応して，前記外部機器を認証する認証部と，
前記認証の結果に基づいて，前記外部機器への電力の供給の可否を決定する決定部と，
前記決定に基づいて前記電力供給部からの電力の供給を制限する電力制限部と，
を具備することを特徴とする電力供給システム。
【請求項２】
前記電力検出部が，前記供給電力が所定の閾値より大きいことを検出する
ことを特徴とする請求項１記載の電力供給システム。
【請求項３】
前記外部機器から消費電力の情報を受信する受信部を具備し，
前記消費電力の情報に基づいて，前記所定の閾値が変更される，
ことを特徴とする請求項１または２に記載の電力供給システム。
【請求項４】
前記電力制限部が，前記電力供給部の出力インピーダンスを増加させる
ことを特徴とする請求項１乃至３のいずれか１項に記載の電力供給システム。
【請求項５】
前記電力制限部が，前記電力供給部からの電力の供給を遮断する
ことを特徴とする請求項１乃至３のいずれか１項に記載の電力供給システム。
【請求項６】
前記電力供給部からの供給電力の減少を検出する第２の電力検出部と，
前記第２の電力検出部での検出に対応して，前記認証部によって認証された外部機器と通信する通信部と，を具備し，
前記通信部での通信に対応して，前記所定の閾値が変更される，
ことを特徴とする請求項請求項１乃至５のいずれか１項に記載の電力供給システム。
【請求項７】
前記第２の電力検出部が，前記供給電力が第２の所定の閾値より小さいことを検出し，
前記通信部での通信に対応して，前記所定の閾値および前記第２の所定の閾値が変更される，
ことを特徴とする請求項６記載の電力供給システム。
【請求項８】
前記通信部が，前記外部機器と通信できないときに，前記所定の閾値が変更される，
ことを特徴とする請求項６または７に記載の電力供給システム。
【請求項９】
前記通信部が，前記外部機器から消費電力の情報を受信し，
前記消費電力の情報に基づいて，前記所定の閾値が変更される，
ことを特徴とする請求項６または７に記載の電力供給システム。
【請求項１０】
前記認証部が，無線通信または前記電力供給部から前記外部接続機器への電力供給の経路を用いた電力線通信により，前記外部機器と通信する，
ことを特徴とする請求項請求項１乃至９のいずれか１項に記載の電力供給システム。
【請求項１１】
前記外部機器にコンテンツを供給するコンテンツ供給部をさらに具備する，
ことを特徴とする請求項請求項１乃至１０のいずれか１項に記載の電力供給システム。
【請求項１２】
外部機器に電力を供給する電力供給部からの供給電力の増加に対応して，前記外部機器を認証する認証部と，
前記認証の結果に基づいて，前記外部機器への電力の供給の可否を決定する決定部と，
前記決定に基づいて前記電力供給部に電力の供給の制限を指示する指示部と，
を具備することを特徴とする電力供給制御装置。
【発明の詳細な説明】
【技術分野】
【０００１】
本発明は，外部機器への電力の供給を制御する電力供給制御装置および電力供給システムに関する。
【背景技術】
【０００２】
電気自動車，プラグインハイブリット自動車，携帯電話等の外部機器に電力を供給することがある。例えば，外部機器での充電のために電力が供給される。
なお，外部機器に対する電力の供給を制御する技術が公開されている（特許文献１参照）。外部機器から受信した信号に基づいて電力の供給を制御することで，消費電力の削減が図られる（要約参照）。
【先行技術文献】
【特許文献】
【０００３】
【特許文献１】特開２００９−２２１１２号公報
【発明の概要】
【発明が解決しようとする課題】
【０００４】
ここで，電力が不正に搾取される可能性がある。この防止のために，例えば，特殊な形状のプラグを用いることが考えられる。しかしながら，特殊な形状のプラグを用いると，プラグの交換等の処置が必要となり，利便性を損う可能性がある。
本発明は，外部機器の正当性に応じて，電力の供給を制御する電力供給制御装置および電力供給システムを提供することを目的とする。
【課題を解決するための手段】
【０００５】
本発明の一態様に係る電力供給システムは，外部機器に電力を供給する電力供給部と，前記電力供給部からの供給電力の増加を検出する電力検出部と，前記電力検出部での検出に対応して，前記外部機器を認証する認証部と，前記認証の結果に基づいて，前記外部機器への電力の供給の可否を決定する決定部と，前記決定に基づいて前記電力供給部からの電力の供給を制限する電力制限部と，を具備する。
【０００６】
本発明の一態様に係る電力供給制御装置は，外部機器に電力を供給する電力供給部からの供給電力の増加に対応して，前記外部機器を認証する認証部と，前記認証の結果に基づいて，前記外部機器への電力の供給の可否を決定する決定部と，前記決定に基づいて前記電力供給部に電力の供給の制限を指示する指示部と，を具備する。
【発明の効果】
【０００７】
本発明によれば，外部機器の正当性に応じて，電力の供給を制御する電力供給制御装置および電力供給システムを提供できる。
【図面の簡単な説明】
【０００８】
【図１】本発明の一実施形態に係る電力供給システム１００を表すブロック図である。
【図２】電力供給システム１００の動作手順の一例を表すフロー図である。
【図３】図２のフロー図の動作手順の一部の詳細例を表すフロー図である。
【発明を実施するための形態】
【０００９】
以下，図面を参照して，本発明の実施の形態を詳細に説明する。図１は本発明の一実施形態に係る電力供給システム１００を表すブロック図である。
【００１０】
電力供給システム１００は，外部機器２００（２００Ａ，２００Ｂ）に電力を供給するシステムであり，電力供給制御装置１１０，電力検出・制限装置１２０（１２０Ａ，１２０Ｂ），電源コンセント１３０（１３０Ａ，１３０Ｂ），監視装置１４０，コンテンツ供給装置１５０，分電盤１６０を有する。
【００１１】
電力供給制御装置１１０，電力検出・制限装置１２０，監視装置１４０，コンテンツ供給装置１５０は，分電盤１６０から供給される電力によって動作し，かつ分電盤１６０からの電力の供給経路（例えば，電力線）を用いた電力線通信（例えば，PLC(Power Line Communications)）が可能である。
【００１２】
電力供給制御装置１１０は，電力検出・制限装置１２０，外部機器２００との通信により，外部機器２００を認証し，電源コンセント１３０から外部機器２００への電力の供給を制御する。電力供給制御装置１１０は，制御部１１１，記憶部１１２，入力部１１３，表示部１１４，通信部１１５を有する。
【００１３】
制御部１１１は，電力供給制御装置１１０装置を制御する制御装置（例えば，CPU(Central Processing Unit)）であり，次のように機能する。
・電力検出部での検出に対応して，外部機器を認証する認証部
・認証の結果に基づいて，外部機器への電力の供給の可否を決定する決定部
【００１４】
記憶部１１２は，情報を記憶する記憶装置，例えば，半導体メモリ（フラッシュメモリ等）であり，次の（１）〜（６）の情報を記憶する。
【００１５】
（１）電力変動検出閾値（上限閾値，下限閾値）：電力検出・制限装置１２０において供給電力の変動（増加，減少）を検出するための閾値である。供給電力が上限閾値を上回った場合に供給電力の増加が検出される。供給電力が下限閾値を下回った場合に供給電力の減少が検出される。
【００１６】
電力変動検出閾値には，初期値，現在値の２つがあり，この双方が記憶部１１２に記憶される。初期値は，電源コンセント１３０に外部機器２００が接続されていないときの電力変動検出閾値である。現在値は，電力検出・制限装置１２０での電力変動の検出に用いられている電力変動検出閾値である。後述のように，電源コンセント１３０への外部機器２００の接続，接続解除により，電力検出・制限装置１２０で用いられる電力変動検出閾値が変更される可能性がある。
【００１７】
なお，電力変動検出閾値の現在値は，電力検出・制限装置１２０でも保持されることから，必ずしも電力供給制御装置１１０で記憶しなくても良い。後述のように，電力検出・制限装置１２０の電力変動検出閾値を変更する場合に，電力供給制御装置１１０が電力変動検出閾値を記憶しておくと便宜である（電力検出・制限装置１２０への問い合わせが不要）。
【００１８】
（２）認証用情報：外部機器２００を認証するための情報（例えば，認証用の共通鍵の情報，認証のプロトコル）である。後述のように，ここでいう認証は，外部機器２００が，電力供給システム１００へのアクセス（通信）を認められているかを確認するためのものである（狭義の認証）。
【００１９】
（３）登録機器リスト：登録されている外部機器２００のＩＤ（識別子（Identifier））のリスト）である。登録機器リストは，外部機器２００が，電力供給システム１００からの電力供給が認められているかを確認するためのものである（登録の確認）。狭義の認証と登録の確認を纏めて，広義の認証とすることができる。
【００２０】
（４）接続機器リスト：電源コンセント１３０Ａ，１３０Ｂそれぞれに接続されている外部機器２００のＩＤおよびそれぞれの外部機器２００の消費電力（電流）のリストである。後述のように，認証と登録の確認の結果，電力供給システム１００に接続されている外部機器２００のＩＤと消費電力の情報が取得され，これが記憶部１１２に保持される。接続機器リストは，電源コンセント１３０Ａ，１３０Ｂそれぞれからの外部機器２００の接続の解除を確認し，電力変動検出閾値を変更するために用いられる。
【００２１】
（５）復帰モード：電力供給の再開が自動，手動のいずれでなされるか（自動復帰モード／手動復帰モード）を表す情報である。後述のように，外部機器２００の広義の認証（認証，登録の確認）に失敗すると，外部機器２００への電力の供給が制限される。復帰モードは，このときの復帰の手順（自動，手動）を規定する。
（６）再開時間：自動復帰モードのときの再開の設定時間である。
【００２２】
入力部１１３は，情報を入力する入力装置，例えば，キーボードである。表示部１１４は，情報を表示する表示装置，例えば，液晶表示装置である。入力部１１３，表示部１１４によって，記憶部１１２の記憶内容（例えば，登録機器リスト）の確認（表示），変更（入力）が可能となる。
【００２３】
通信部１１５は，電力検出・制限装置１２０，監視装置１４０，外部機器２００と電力線通信により通信する通信装置である。通信部１１５は，「外部機器から消費電力の情報を受信する受信部」，「第２の電力検出部での検出に対応して，認証部によって認証された外部機器と通信する通信部」，および「決定に基づいて電力供給部に電力の供給の制限を指示する指示部」として機能する。
【００２４】
電力検出・制限装置１２０は，電源コンセント１３０からの供給電力の変動を検出し，供給電力を制限するものであり，電力検出部１２１，電力制限部１２２，通信部１２３を有する。
【００２５】
電力検出部１２１は，電力変動検出閾値（上限閾値，下限閾値）に基づいて，電源コンセント１３０からの供給電力の変動を検出し，電力供給制御装置１１０に通知する。電力検出部１２１は，供給電力の増加，減少を区分して検出，通知する。電力検出部１２１は，「電力供給部からの供給電力の増加を検出する電力検出部」，「電力供給部からの供給電力の減少を検出する第２の電力検出部」として機能する。
【００２６】
電源コンセント１３０からの供給電力（電流）が上限閾値を越えた場合に，供給電力の増加が検出される。例えば，外部機器２００が電源コンセント１３０に接続された場合に，供給電力（電流）が上限閾値を越える可能性がある。電源コンセント１３０に複数の外部機器２００が接続される場合，複数の外部機器２００全体への供給電力の合計がこの上限閾値を超えたときに，電力検出部１２１が電力の増加を検出，通知する。
【００２７】
また，電源コンセント１３０からの供給電力（電流）が下限閾値を下回った場合に，供給電力の減少が検出される。例えば，外部機器２００が電源コンセント１３０から接続解除された場合に，供給電力（電流）が下限閾値を下回る（場合により，事実上ゼロとなる）可能性がある。電源コンセント１３０に複数の外部機器２００が接続される場合，複数の外部機器２００全体への供給電力の合計がこの下限閾値を下回ったときに，電力検出部１２１が電力の減少を検出，通知する。
【００２８】
上限閾値，下限閾値の範囲内では，供給電力の変動が検出されない。即ち，供給電力の微細な変動による誤動作が回避される。また，上限閾値をある程度大きくすることで，消費電力が比較的小さい（上限閾値を越えない）外部機器２００での認証を不要とすることができる。即ち，消費電力が比較的小さい外部機器２００に対して，認証等を要せず，電力を供給するようにしても良い。
【００２９】
上限閾値，下限閾値の範囲を越えると，供給電力の変動が検出される。即ち，消費電力が比較的大きい（上限閾値を越える）外部機器２００では，認証等を受けることで，電力の供給を受けることが可能である。
【００３０】
この電力変動検出閾値（上限閾値，下限閾値）は，電力検出部１２１に記憶（設定）され，電力供給制御装置１１０からの指示により，変更される。
【００３１】
電力制限部１２２は，電源コンセント１３０からの電力の供給を制限する。電力制限部１２２は，「決定に基づいて前記電力供給部からの電力の供給を制限する電力制限部」として機能する。
【００３２】
電力制限部１２２は，例えば，スイッチ等による回線の遮断により，電源コンセント１３０からの電力の供給を遮断する。この場合，電力制限部１２２を一般的なサーキットブレーカに準じた構成とすることができる。また，電源コンセント１３０からの出力インピーダンスを増加させることで，電源コンセント１３０からの電力の供給を制限しても良い。この場合，外部機器２００への電力の供給を事実上遮断しつつ，かつ電力供給システム１００と外部機器２００間での電力線通信が可能となる。
【００３３】
通信部１２３は，電力供給制御装置１１０，監視装置１４０，外部機器２００と電力線通信により通信する通信装置である。
【００３４】
電源コンセント１３０は，プラグ２１０を介して外部機器２００に電力を供給する。即ち，電源コンセント１３０は，外部機器に電力を供給する電力供給部として機能する。
【００３５】
図１では，電源コンセント１３０Ａ，１３０Ｂそれぞれにプラグ２１０Ａ，２１０Ｂを接続し，外部機器２００Ａ，２００Ｂに電力を供給することを想定している。即ち，１の電源コンセント１３０に，１のプラグ２１０，１の外部機器２００が接続される。これに対して，１の電源コンセント１３０に，複数のプラグ２１０および複数の外部機器２００が接続されても良い。この場合でも，電源コンセント１３０からの電力の制御が可能である。
【００３６】
監視装置１４０は，電力供給システム１００の動作状態を監視，記録する装置であり，制御部１４１，入力部１４２，表示部１４３，通信部１４４を有する。
制御部１４１は，監視装置１４０を制御する制御装置（例えば，CPU(Central Processing Unit)）である。
【００３７】
入力部１４２は，情報を入力する入力装置，例えば，キーボードである。表示部１４３は，情報を表示する表示装置，例えば，液晶表示装置である。入力部１４２，表示部１４３によって，電力供給システム１００の状態の確認（表示），変更（入力）が可能となる。
【００３８】
通信部１４４は，電力供給制御装置１１０，電力検出・制限装置１２０，外部機器２００と電力線通信により通信する通信装置である。
【００３９】
コンテンツ供給装置１５０は，外部機器２００にコンテンツ（静止画，動画，音声等のデータ）を供給する装置である。コンテンツ供給装置１５０は，制御部１５１，コンテンツ蓄積部１５２，通信部１５３を有する。
【００４０】
制御部１５１は，コンテンツ供給装置１５０を制御する制御装置（例えば，CPU(Central Processing Unit)）である。
コンテンツ蓄積部１５２は，コンテンツ（カーナビゲーション用の地図や，映像・音楽データ等）を蓄積する記憶装置，例えば，ハードディスク・ドライブ，半導体メモリである。
通信部１５３は，外部機器２００と電力線通信により通信する通信装置である。
【００４１】
分電盤１６０は，外部電源（例えば，商用電源，自家発電，燃料電池）からの電力を電力供給制御装置１１０，電力検出・制限装置１２０，監視装置１４０，コンテンツ供給装置１５０，電源コンセント１３０に分岐して供給する。
【００４２】
外部機器２００は，例えば，電気自動車，プラグインハイブリット自動車，携帯電話であり，充電部２０１，制御部２０２，記憶部２０３，視聴部２０４，通信部２０５を有する。
【００４３】
外部機器２００は，プラグ２１０を電源コンセント１３０に接続することで，電力供給システム１００から電力の供給を受けることができる。
充電部２０１は，電源コンセント１３０からの電力の供給により充電する，例えば，二次電池である。
制御部２０２は，外部機器２００を制御する制御装置（例えば，CPU(Central Processing Unit)）である。
【００４４】
記憶部２０３は，情報を記憶する記憶装置，例えば，半導体メモリ（フラッシュメモリ等）であり，次の情報を記憶する。
・電力供給システム１００から認証を受けるための情報（例えば，認証用の共通鍵の情報，認証のプロトコル）
・外部機器２００のＩＤ
・充電部２０１の充電状態の情報（例えば，現時点と満充電時点の蓄積電力量の比率）
・消費電力の情報（外部機器２００の動作時の電力または電流の値，充電部２０１の充電状態によって，消費電力が変動する場合，充電状態と対応付けられる）
【００４５】
視聴部２０４は，コンテンツ供給装置１５０から供給されたコンテンツを視聴する装置，例えば，カーナビゲーション装置，映像表示装置，音声出力装置である。
通信部２０５は，電力供給システム１００と電力線通信により通信する通信装置である。
【００４６】
（電力供給システム１００の動作）
図２は，電力供給システム１００の動作手順の一例を表すフロー図である。図３は，図２のステップＳ３０の詳細を表すフロー図である。
【００４７】
（１）電力負荷の変動の検出（ステップＳ１１）
電力検出部１２１によって，電源コンセント１３０からの供給電力の変動が検出される。例えば，電源コンセント１３０へのプラグ２１０の接続により電源コンセント１３０からの供給電力が増大する（例えば，充電部２０１への充電が開始される）。また，電源コンセント１３０へのプラグ２１０の接続解除により電源コンセント１３０からの供給電力が減少する。
【００４８】
電源コンセント１３０から外部機器２００への供給電力が電力検出部１２１に設定された上限閾値，下限閾値の範囲を越えると，電力検出部１２１がこの変動を検出する。そして，電力検出・制限装置１２０の通信部１２３から電力供給制御装置１１０に電力負荷変動の検出信号が送信される。この検出信号には，電力負荷の増大または減少を表す増大／減少信号が含まれる。
【００４９】
（２）外部機器２００の認証・登録の確認（ステップＳ１２〜Ｓ１５）
電力供給制御装置１１０は，電力検出・制限装置１２０からの電力負荷の増大または減少を表す増大／減少信号を受信する。
【００５０】
供給電力が増大した場合，電力供給制御装置１１０は，新たな外部機器２００（負荷）が接続されたと判断し，外部機器２００の認証を開始する。電力供給制御装置１１０と外部機器２００間で，暗号化されたメッセージを交換することで，外部機器２００を認証する。この認証は，この外部機器２００が電力供給システム１００へのアクセス（通信）が認められているか否かを確認するためのものである。即ち，この認証は，この外部機器２００への電力供給が認められるかをまで確認するものではない。
【００５１】
外部機器２００の認証が成功した場合，電力供給制御装置１１０は，外部機器２００のＩＤを取得し，登録の有無を確認する。取得したＩＤが記憶部１１２に記憶される登録機器リストに含まれていれば（登録の確認），外部機器２００を登録された（電力供給が許可された）機器と判定する。また，取得したＩＤを記憶部１１２の接続機器リストに追加する。
【００５２】
以上のように，本実施形態では，認証，登録の確認の２段階の処理によって，外部機器２００を電力供給が許可された機器と判定する。このように２段階の処理としているのは，通信の可否と，電力供給の可否をそれぞれ確認するためである。認証と登録の確認を纏めて広義の認証とすることができる。
【００５３】
記憶部１１２の登録機器リストを書き替えることで，電力を供給する外部機器２００を容易に変更できる。例えば，契約に基づいて，特定の外部機器２００への電力の供給を認めることがある。この場合，契約期間の満了に対応して，特定の外部機器２００のＩＤを登録機器リストから削除することで，電力の供給対象から外すことができる。ここで，電力供給制御装置１１０が，ＩＤと対応して，契約期間の情報を記憶しておき，タイマ等を用いて契約期間の満了を判断し，登録機器リストから自動的に削除することができる。
【００５４】
（３）電力供給の継続（ステップＳ１６〜Ｓ１８）
外部機器２００の認証および登録の確認が成功した場合，電力供給制御装置１１０は電源コンセント１３０からの電力の供給を継続する。
【００５５】
また，電力供給制御装置１１０は外部機器２００から消費電力の情報を取得し，上限閾値，下限閾値を変更する。例えば，現在の上限閾値に取得した消費電力の値を加算した値を新たな上限閾値とする。また，現在の下限閾値に取得した消費電力の値を加算した値を新たな下限閾値とする。新たな上限閾値，下限閾値は，電力供給制御装置１１０から電力検出・制限装置１２０へと送信され，電力検出部１２１に記憶されている上限閾値，下限閾値が書き替えられる。この結果，電源コンセント１３０に接続されている外部機器２００の消費電力に対応する電力が供給される。
【００５６】
外部機器２００が接続された電源コンセント１３０に，外部機器２００を追加して接続する場合が有り得る（上限閾値，下限閾値が既に書き替えられている）。この場合でも，現在の上限閾値，下限閾値に最後に接続された外部機器２００での消費電力を加算すれば良い。このように，電源コンセント１３０に複数の外部機器２００が接続される場合でも，これらの外部機器２００の消費電力に対応する電力が供給される。
【００５７】
なお，外部機器２００は，電力供給を受けているときに，コンテンツ供給装置１５０との通信（例えば，電力線通信）を用いて，コンテンツをダウンロードし，視聴部２０４で視聴することができる。
【００５８】
（３）電力供給の制限（ステップＳ３０，Ｓ３１）
外部機器２００の認証または登録の確認（広義の認証）が失敗した場合，電力供給制御装置１１０は許可されていない外部機器２００が接続されたとして，電力検出・制限装置１２０に，出力遮断を指令する指令信号を送信する。電力検出・制限装置１２０はこの指令に従い電力制限部１２２によって，電源コンセント１３０からの電力供給を制限する。即ち，電力制限部１２２が電源コンセント１３０への回線の開放，または出力インピーダンスの増加を行う。
【００５９】
（４）電力供給の再開（ステップＳ３０，Ｓ３２〜Ｓ３４）
電力検出・制限装置１２０による電力の供給制限の後，所定の手続により，電力の供給再開が可能である。このとき，自動復帰モード，手動復帰モードの何れかにより，動作手順が異なる。
【００６０】
ａ）自動復帰モードの場合（ステップＳ３２〜Ｓ３４）
自動復帰モードの場合，一定時間（記憶部１１２に記憶された再開時間）経過後，電力供給制御装置１１０は電力検出・制限装置１２０に電力供給の再開を指示する。
【００６１】
このとき，電力検出・制限装置１２０の電力変動検出閾値（上限閾値，下限閾値）を変更することができる。電力検出・制限装置１２０の記憶内容が，例えば，記憶部１１２に記憶される初期値に書き替えられる。但し，電力検出・制限装置１２０の電力変動検出閾値を書き替えないことも可能である。この場合，電力供給の制限の前に用いていた電力変動検出閾値（上限閾値，下限閾値）がそのまま用いられる。
【００６２】
ｂ）手動復帰モードの場合（ステップＳ３２，Ｓ３５，およびＳ３４）
手動復帰モードの場合，電力供給制御装置１１０の入力部１１３（または監視装置１４０の入力部１４２）からのユーザの入力によって，電力検出・制限装置１２０に電力供給の再開を指示する。
【００６３】
このとき，ユーザは電力変動検出閾値（上限閾値，下限閾値）を指定できる。この場合，電力検出・制限装置１２０の記憶内容が，指定した電力変動検出閾値（上限閾値，下限閾値）に書き替えられる。但し，電力変動検出閾値を指定しないことも可能である。この場合，電力供給の制限の前に用いていた電力変動検出閾値（上限閾値，下限閾値）がそのまま用いられる。
【００６４】
（５）外部機器２００の接続解除の確認（ステップＳ２１〜Ｓ２３）
供給電力が減少した場合，電力供給制御装置１１０は，外部機器２００（負荷）の接続が解除されたか否かを確認するため，外部機器２００のＩＤの取得を試みる。電源コンセント１３０に接続されている外部機器２００から取得したＩＤを接続機器リストと比較することで，接続の解除の有無，および接続が解除された外部機器２００のＩＤおよび消費電力が判明する。接続機器リストに含まれている外部機器２００と通信ができないとき（ＩＤが取得できないとき），その外部機器２００との接続が解除されたと判断される。
【００６５】
接続の解除の有無の確認結果に応じて，電力供給制御装置１１０は供給電力の上限閾値，下限閾値を変更する。接続の解除が無い場合，供給電力の変動の検出を待つ（ステップＳ１１）。一方，接続の解除が有る場合，例えば，現在の上限閾値から接続が解除された外部機器２００の消費電力の値を減算した値を新たな上限閾値とする。また，現在の下限閾値から接続が解除された外部機器２００の消費電力の値を減算した値を新たな下限閾値とする。新たな上限閾値，下限閾値は，電力供給制御装置１１０から電力検出・制限装置１２０へと送信され，電力検出部１２１の記憶内容が書き替えられる。この結果，外部機器２００の接続状況に対応する電力が供給される。
【００６６】
電源コンセント１３０に複数の外部機器２００が接続され，その一部の接続を解除することが考えられる。この場合でも，現在の上限閾値，下限閾値に最後に接続された外部機器２００での消費電力を減算すれば良い。このように，電源コンセント１３０に複数の外部機器２００が接続される場合でも，これらの外部機器２００の接続状況に対応する電力が供給される。
【００６７】
以上の説明では，外部機器２００の接続および接続解除を契機として，電力変動検出閾値（上限閾値，下限閾値）が変更されている。これに対して，外部機器２００からの自発的な通信により電力変動検出閾値を変更しても良い。例えば，外部機器２００での充電の経緯に応じて，外部機器２００が，必要とする電力（電流）を電力供給制御装置１１０に通知する。そして，この通知に基づいて，電力供給制御装置１１０が電力検出・制限装置１２０の記憶内容を書き換える。外部機器２００での必要に対応して，外部機器２００に電力が供給される。
【００６８】
以上のように，本実施形態では，認証および登録の確認（広義の認証）により，外部機器２００への電力の供給を制御している。この結果，未登録の外部機器２００による電力の不正な取得が防止される。特殊プラグを用いるなどの利便性を損う処置を利用すること無く，電力の不正取得を防止できる。
【００６９】
（その他の実施形態）
本発明の実施形態は上記の実施形態に限られず拡張，変更可能であり，拡張，変更した実施形態も本発明の技術的範囲に含まれる。
【００７０】
（１）上記実施形態では，電力線通信によって機器間での情報を交換している。これに対して，無線，通常の有線（専用線）による通信を用いることも可能である。
【００７１】
（２）上記実施形態では，電力検出部１２１が供給電力の変動を検出している。これに対して，電力供給制御装置１１０が供給電力の変動を検出しても良い。例えば，電力検出・制限装置１２０が定期的に電源コンセント１３０からの供給電力の値を測定して電力供給制御装置１１０に通知し，電力供給制御装置１１０がこの測定値に基づいて供給電力の変動を検出しても良い。
【符号の説明】
【００７２】
１００…電力供給システム，１１０…電力供給制御装置，１１１…制御部，１１２…記憶部，１１３…入力部，１１４…表示部，１１５…通信部         ，１２０（１２０Ａ，１２０Ｂ）…電力検出・制限装置，１２１…電力検出部，１２２…電力制限部，１２３…通信部，１３０（１３０Ａ，１３０Ｂ）…電源コンセント，１４０…監視装置，１４１…制御部，１４２…入力部，１４３…表示部，１４４…通信部，１５０…コンテンツ供給装置，１５１…制御部，１５２…コンテンツ蓄積部，１５３…通信部，１６０…分電盤，２００（２００Ａ，２００Ｂ）…外部機器，２０１…充電部，２０２…制御部，２０３…記憶部，２０４…視聴部，２０５…通信部，２１０（２１０Ａ，２１０Ｂ）…プラグ
【図１】
2015039248.tif 000003
【図２】
2015039248.tif 000004
【図３】
2015039248.tif 000005